【手続補正書】
【提出日】平成24年9月24日(2012.9.24)
【手続補正１】
【補正対象書類名】特許請求の範囲
【補正対象項目名】全文
【補正方法】変更
【補正の内容】
【特許請求の範囲】
【請求項１】
画像から顔を検出する顔検出手段と、
前記顔検出手段により検出された顔が目をつむっているかどうかを検出する目つむり検出手段と、
複数の画像における、対象となる被写体に対する目つむりの検出結果に応じて、前記複数の画像のうちの第１の画像において、前記対象となる被写体の顔が目をつむっているのかを判定する判定手段と、を備え、
前記判定手段は、
前記目つむり検出手段によって、前記第１の画像から前記対象となる被写体の顔が目をつむっていることが検出され、かつ、前記複数の画像のうちの、前記第１の画像以外の他の画像から前記対象となる被写体の顔が目をつむっていないことが検出された場合には、前記第１の画像における前記対象となる被写体の顔は目をつむっていると判定し、
前記目つむり検出手段によって、前記複数の画像の全てから前記対象となる被写体の顔が目をつむっていることが検出された場合には、前記第１の画像における前記対象となる被写体の顔は目をつむっていないと判定することを特徴とする画像処理装置。
【請求項２】
前記他の画像は、前記第１の画像よりも前のフレームの画像であることを特徴とする請求項１に記載の画像処理装置。
【請求項３】
前記判定手段が前記第１の画像における前記対象となる被写体の顔が目をつむっていると判定した場合に、前記第１の画像について目つむりであることの警告を行う警告手段を有することを特徴とする請求項１または２に記載の画像処理装置。
【請求項４】
前記複数の画像を生成する撮像手段と、請求項１乃至３のいずれか１項に記載の画像処理装置を備えた撮像装置。
【請求項５】
撮像手段と、
画像から顔を検出する顔検出手段と、
前記顔検出手段により検出された顔が目をつむっているかどうかを検出する目つむり検出手段と、
前記撮像手段で生成した記録用画像における、対象となる被写体に対する目つむりの検出結果に応じて、前記撮像手段に記録用画像を再び生成させる再撮影を行わせる制御手段と、を備え、
前記制御手段は、
前記目つむり検出手段によって、前記記録用画像から前記対象となる被写体の顔が目をつむっていることが検出され、かつ、前記記録用画像よりも前に前記撮像手段で生成された他の画像から前記対象となる被写体の顔が目をつむっていないことが検出された場合には、前記撮像手段に再撮影を行わせ、
前記目つむり検出手段によって、前記記録用画像および前記他の画像のいずれからも前記対象となる被写体の顔が目をつむっていることが検出された場合には、前記撮像手段に再撮影を行わせないことを特徴とする撮像装置。
【請求項６】
前記制御手段は、前記記録用画像、および、前記記録用画像を撮影する前の予め設定した全てのフレームの画像から、前記対象とある被写体の顔が目をつむっていることが検出された場合には、前記撮像手段に再撮影を行わせないことを特徴とする請求項５に記載の撮像装置。
【請求項７】
画像から顔を検出する顔検出手段と、前記顔検出手段により検出された顔が目をつむっているかどうかを検出する目つむり検出手段と、を有する画像処理装置の制御方法であって、
前記目つむり検出手段によって、複数の画像のうちの第１の画像から対象となる被写体の顔が目をつむっていることが検出され、かつ、前記複数の画像のうちの、前記第１の画像以外の他の画像から前記対象となる被写体の顔が目をつむっていないことが検出された場合には、前記第１の画像における前記対象となる被写体の顔は目をつむっていると判定し、前記目つむり検出手段によって、前記複数の画像の全てから前記対象となる被写体の顔が目をつむっていることが検出された場合には、前記第１の画像における前記対象となる被写体の顔は目をつむっていないと判定する工程を含むことを特徴とする画像処理装置の制御方法。
【請求項８】
撮像手段と、画像から顔を検出する顔検出手段と、前記顔検出手段により検出された顔が目をつむっているかどうかを検出する目つむり検出手段とを備えた撮像装置の制御方法であって、
前記目つむり検出手段によって、前記撮像手段で生成した記録用画像から対象となる被写体の顔が目をつむっていることが検出され、かつ、前記記録用画像よりも前に前記撮像手段で生成された他の画像から前記対象となる被写体の顔が目をつむっていないことが検出された場合には、前記撮像手段に記録用画像を再び生成させる再撮影を行わせ、前記目つむり検出手段によって、前記記録用画像および前記他の画像のいずれからも前記対象となる被写体の顔が目をつむっていることが検出された場合には、前記撮像手段に再撮影を行わせない工程を含むことを特徴とする撮像装置の制御方法。
【請求項９】
画像から顔を検出する顔検出手段と、前記顔検出手段により検出された顔が目をつむっているかどうかを検出する目つむり検出手段と、を有する画像処理装置を制御するシステム制御工程をコンピュータに実行させるコンピュータプログラムであって、
前記システム制御工程において、
前記目つむり検出手段によって、複数の画像のうちの第１の画像から対象となる被写体の顔が目をつむっていることが検出され、かつ、前記複数の画像のうちの、前記第１の画像以外の他の画像から前記対象となる被写体の顔が目をつむっていないことが検出された場合には、前記第１の画像における前記対象となる被写体の顔は目をつむっていると判定し、前記目つむり検出手段によって、前記複数の画像の全てから前記対象となる被写体の顔が目をつむっていることが検出された場合には、前記第１の画像における前記対象となる被写体の顔は目をつむっていないと判定する処理をコンピュータに実行させるコンピュータプログラム。
【請求項１０】
撮像手段と、画像から顔を検出する顔検出手段と、前記顔検出手段により検出された顔が目をつむっているかどうかを検出する目つむり検出手段とを備えた撮像装置を制御するシステム制御工程をコンピュータに実行させるコンピュータプログラムであって、
前記システム制御工程において、
前記目つむり検出手段によって、前記撮像手段で生成した記録用画像から対象となる被写体の顔が目をつむっていることが検出され、かつ、前記記録用画像よりも前に前記撮像手段で生成された他の画像から前記対象となる被写体の顔が目をつむっていないことが検出された場合には、前記撮像手段に記録用画像を再び生成させる再撮影を行わせ、前記目つむり検出手段によって、前記記録用画像および前記他の画像のいずれからも前記対象となる被写体の顔が目をつむっていることが検出された場合には、前記撮像手段に再撮影を行わせない処理をコンピュータに実行させるコンピュータプログラム。
【手続補正２】
【補正対象書類名】明細書
【補正対象項目名】発明の名称
【補正方法】変更
【補正の内容】
【発明の名称】画像処理装置及び画像処理装置の制御方法
【手続補正３】
【補正対象書類名】明細書
【補正対象項目名】０００１
【補正方法】変更
【補正の内容】
【０００１】
本発明は画像処理装置及び画像処理装置の制御方法に関し、特に、細目の人が目を開いているにもかかわらず、目をつむっていると誤判定されるのを防止するために用いて好適な技術に関するものである。
【手続補正４】
【補正対象書類名】明細書
【補正対象項目名】０００５
【補正方法】変更
【補正の内容】
【０００５】
本発明の画像処理装置は、画像から顔を検出する顔検出手段と、前記顔検出手段により検出された顔が目をつむっているかどうかを検出する目つむり検出手段と、複数の画像における、対象となる被写体に対する目つむりの検出結果に応じて、前記複数の画像のうちの第１の画像において、前記対象となる被写体の顔が目をつむっているのかを判定する判定手段と、を備え、前記判定手段は、前記目つむり検出手段によって、前記第１の画像から前記対象となる被写体の顔が目をつむっていることが検出され、かつ、前記複数の画像のうちの、前記第１の画像以外の他の画像から前記対象となる被写体の顔が目をつむっていないことが検出された場合には、前記第１の画像における前記対象となる被写体の顔は目をつむっていると判定し、前記目つむり検出手段によって、前記複数の画像の全てから前記対象となる被写体の顔が目をつむっていることが検出された場合には、前記第１の画像における前記対象となる被写体の顔は目をつむっていないと判定することを特徴とする。
【手続補正５】
【補正対象書類名】明細書
【補正対象項目名】０００６
【補正方法】変更
【補正の内容】
【０００６】
本発明によれば、複数の画像の全てから対象となる被写体の顔が目をつむっていることが検出された場合には、前記対象となる被写体の顔は目をつむっていないと判定するようにした。これにより、細目の人で目を開いているにもかかわらず、目つむり警告されるのを防ぐことができる。